(57)【要約】【課題】入浴時の安全性を向上すること。【解決手段】水位センサによって、浴槽へ人が入って水位が上昇し水位上昇Ａ９を検出した後続いて水位上昇Ｂ１０を検出した時には、台所リモコンの表示部に異常を表示または報知するとともに、浴槽の水位を所定水位さげるようにしている。これによって、入浴者の浴槽内における事故を未然に防止することができる。【選択図】　図５
2004003772.tif 000002
【特許請求の範囲】
【請求項１】
浴室と、この浴室に設けられた浴室リモコンと、前記浴室以外の場所に設けられた他のリモコンと、浴槽の水位を検知する検知部とを備え、前記検知部によって人が浴槽に入ってから上昇した第１の水位値を検知した後、続いて第２の水位値を検出した時には異常と判断し、前記他のリモコンに異常が発生したことを報知する風呂安全装置。
【請求項２】
他のリモコン側に表示部を設け、異常が発生した際には前記表示部のバックライトの表示状態は異常色である請求項１記載の風呂安全装置。
【請求項３】
表示部を点滅させるようにした請求項２記載の風呂安全装置。
【請求項４】
浴槽に排水弁を設け、異常が発生した際は前記排水弁を開いて所定水位下げるようにした請求項１、２又は３記載１項記載の風呂安全装置。
【請求項５】
異常と判断される条件は、第１の水位＞第２の水位である請求項１〜４のいずれか１項に記載の風呂安全装置。
【発明の詳細な説明】
【０００１】
【発明の属する技術分野】
本発明は、入浴中の風呂安全装置に関し、更に詳しくは人が浴槽内で危険な状態になっていることを知らせるとともに、浴槽の水位を下げて事故を未然に防止する風呂安全装置に関するものである。
【０００２】
【従来の技術】
従来この種の風呂安全装置は、人が浴室にいるかどうかは、例えば、インターホンリモコン等のように、台所リモコンから浴室リモコンに音声で通話し、浴室リモコンからの応答で確認するのが、一般的であった。
【０００３】
図６は、従来の風呂安全装置であり、通常台所リモコン１の通話ＳＷ３を押してから、浴室の人に台所から呼びかけ、浴室にいる人が浴室リモコン２の通話ＳＷ４を押して浴室リモコンから返事をすることで、確認している。返事がなければ何か異常なことが生じているのではないかと、介護者が判断するようにしている。
【０００４】
【発明が解決しようとする課題】
しかしながら上記のような構成では、台所等にいる人が、台所リモコンの通話スイッチを押して浴室リモコンに話し掛けないと浴室の状態が確認できなかった。更には、異常なことが起こっているかどうかは、判らなかった。
【０００５】
本発明は、前記従来の課題を解決するもので、浴槽内に人が入って異常な状態になっていれば、そのことを報知したり、浴槽の水位を所定水位下げたりして、浴槽内での安全性を高めることを目的とするものである。
【０００６】
【課題を解決するための手段】
本発明は上記課題を達解決するために、浴槽の水位を検知して、人が浴槽に入って水位上昇する第１の水位値を検出した後、続いて第２の水位値を検出した時には、浴室以外の場所に設けられた他のリモコンに異常であることを知らせ、更に、は浴槽の水位を所定水位下げて、浴室での安全性を高めるようにしたものである。
【０００７】
上記発明によれば、人が入浴して危険な状態になったことを自動的に検出し、他のリモコン側に異常が発生したことを報知するので、体の不自由な人や体調の悪い人が浴槽に入った時でも、いちいちインターホンリモコンで通話しながら確認しなくても良くなり、結果として浴槽内での事故を防止し、高齢化社会に対応した風呂給湯装置を提供できる。
【０００８】
【発明の実施の形態】
請求項１に記載の発明は、浴槽の水位を検出して、人が浴槽に入って水位上昇する水位上昇Ａを検出した後続いて水位上昇Ｂを検出した時には、例えば台所に設けたリモコンの表示部に異常を表示させたりあるいは異常を報知するようにしたものである。
【０００９】
請求項２に記載の発明は、人が浴槽に入って水位上昇する水位上昇Ａを検出した後続いて水位上昇Ｂを検出した時には、台所リモコンの表示部のバックライトを異常色にし、異常状態をより判らせるようにしたものである。
【００１０】
また、請求項３に記載の発明は、人が浴槽に入って水位上昇する水位上昇Ａを検出した後続いて水位上昇Ｂを検出した時には、台所リモコンの表示部を点滅させ、介護者に異常状態であることの注意を喚起するようにしたものである。
【００１１】
また、請求項４に記載の発明は人が浴槽に入って水位上昇する水位上昇Ａを検出した後続いて水位上昇Ｂを検出した時には、浴槽の下部に設けられた排水栓を開けて水位を下げるようにしたものであり、人が浴槽に沈んでも例えば窒息死しないようにしたものである。
【００１２】
また、請求項５に記載の発明は人が浴槽に入って水位上昇する水位上昇Ａを検出する時、所定水位Ａ＞所定水位Ｂとしたもので、胸くらいまで漬かっていた人が気を失い頭まで水中に沈んだことを検出し易くしたものである。
【００１３】
【実施例】
以下、本発明の実施例について、図１〜図５を参照しながらを説明する。
【００１４】
（実施例１）
図１は本発明の風呂給湯装置で人が浴槽に入って危険な状態になった時、台所リモコンの表示部に異常を表示あるいは異常状態を報知する実施例を示す。
【００１５】
図１において、台所リモコン１及び浴室リモコン２の運転スイッチ３又は４をＯＮすると、台所リモコン１と浴室リモコン２は風呂給湯装置の状態を表示部７および８に表示する。
【００１６】
また、浴槽へ人が入り、水位センサが水位上昇Ａ検出した後続いて水位上昇Ｂを検出した時、台所リモコン１の表示部８に危険な状態であることを表示あるいは異常状態を報知するものである。浴槽内で体調を崩したり意識を失ったりすることが多いので、浴槽に人が入って通常は胸くらいまで入って入浴をしているが、意識を失ったりすると、沈んで頭まで浴槽内につかり、ついには窒息状態になる危険があり、前記状態になった時、介護者等に注意を喚起し、介護者は浴槽内の人を救助することができる。
【００１７】
（実施例２）
図２は本発明の風呂給湯装置で人が浴槽に入った後危険な状態になった時、台所リモコンの表示部のバックライトを赤色にして異常を知らしめる実施例を示す。
【００１８】
図２において、浴槽に人が入り、水位センサが水位上昇Ａ検出した後続いて水位上昇Ｂを検出した時、台所リモコン１の表示部７のバックライトを異常色にして異常状態を知らしめるようにしたものである。通常、台所リモコン１の表示部７のバックライトは橙色もしくは青や緑色をしているのが通常だが、異常であることを知らしめるために、赤等の人目を引く異常色にしたものである。このことにより、台所等にいる介護者がすぐ異常に気がつくものである。
【００１９】
（実施例３）
図３は本発明の風呂給湯装置で人が浴槽に入り、水位センサが水位上昇Ａを検出した後水位上昇Ｂを検出した時、台所リモコン１の表示部７を点滅させ、異常を介護者に知らしめるものである。台所リモコン１の表示部７が点滅することにより、介護者に異常状態をより判りやすくするものである。
【００２０】
（実施例４）
図４は人が浴槽に入り水位上昇する水位上昇Ａを検出した後続けて水位上昇Ｂを検出した時の入浴検出説明図である。
【００２１】
沸きあがり後の水位を示す水位センサ出力をＶ１とする。この時人が入浴すると水位センサの出力はＶ２に急激に上昇する。この急激な出力上昇を検出して、人の入浴検出をすることが出来る。
【００２２】
沸き上がり後の水位をＶ１とすると、人が入浴した後の水位Ｖ２で示される。たとえば縦６０ｃｍ、横７０ｃｍ、深さ６０ｃｍの浴槽に設定水位Ｖ１で沸き上がっている所へ体重約６５ｋｇの人が入浴すると、急激に水位は上昇し約１８ｃｍ水位が上昇する。即ちＶ２−Ｖ１＝約１８ｃｍとなることを示している。即ち、人が入浴すると水位センサ出力がＶ１→Ｖ２へ上昇することを示している。ここで人が入浴する場合についてさらに詳細に述べる。たとえば、１．６秒毎にマイコンで水位センサの出力を読み取るものとし、１ビット＝２．５ｍｍＨ２０の水位センサ出力と仮定する。ここで人が入浴すると１８ｃｍは７２ビットに相当する。今、４回データを読み取ったとすると、１．６秒×４＝６．４秒かかることになる。即ち、急激な水位変化を判定する判定時間を６．４秒とした時に、たとえば水位上昇が３６ビット＝９ｃｍ以上上昇した時を人の入浴とすれば、水位検出は２倍の安全率誤動作を少なくして検出できる。
【００２３】
前記９ｃｍの水位上昇を、人が浴槽に入ったこととして検出する時の水位上昇Ａとする。一方、人が入浴する時には、水面が乱れるので読み取りデータをそのまま、水位センサの出力として比較すると、水面の乱れがそのまま水位の乱れとなるので、たとえば、データとしては移動平均に置き換えたもので比較するほうが、安定して比較が可能となる。たとえば、１．６秒ごとにデータを読み取るが、４回目のデータは３回分の値に今回の４回目のデータを加えて、４で割ったものを今回の移動平均の水位出力として比較するものである。
【００２４】
通常、人は胸くらいまでつかった状態で入浴している。この時の水位を水位センサで読み取ったものがＶ２である。今、この状態で、入浴している人が気を失うと、身体の力が抜けて、頭まで浴槽水につかる状態になり、そのうちに窒息状態になり、時には死んでしまう恐れがある。このように、頭までつかった状態の水位がＶ３であり、一旦入浴した水位のＶ２よりも更に水位が上がった状態になる。本発明はこの点に着目し、一旦入浴して水位が上昇した後続いて水位が上昇したことを検出し、この異常状態を台所リモコン１の表示部８に危険であることを表示または、異常であることを報知して、介護者に通報して、入浴者を助けるようにしたものである。前記Ｖ３−Ｖ２は、胸から頭までの体積を浴槽の底面積で割った値であり、例えば、８ｃｍ水位が上昇したとする。今、胸まで漬かっていた人が頭まで沈んだことを検出する水位上昇Ｂをたとえば２ｃｍとすれば、安全率４倍で設定することができる。
【００２５】
一方、水位上昇Ｂをあまり小さく設定すると、浴槽の中で少し身体を動かし沈んだりすると異常でもないのに異常であると誤検出する恐れがあるので、あまり小さくするのは好ましくない。さらには、広い浴槽では水位上昇がちいさく、狭い浴槽では水位上昇が大きいので、前記のことも考慮して水位上昇を検出する水位上昇Ｂを設定する。
【００２６】
【発明の効果】
以上の説明から明らかのように本発明の風呂安全装置によれば次の効果が得られる。
【００２７】
人が入浴したことを検出して異常状態になった時、浴槽で人が異常状態になったことを報知するるので、例えば身体の不自由な人や弱い人が気を失い異常状態になったような時でもその異常状態を知らせるので、入浴者のプライバシーを尊重してあげられるとともに、常時介護者が付いていなければならないという煩わしさが解消される。
【００２８】
また、人が浴槽に入って異常状態になったことを検出すると、台所リモコンの表示部のバックライトを異常色にして、浴槽にいる人が異常状態であることを介護者に伝えることができる。
【００２９】
また、人が浴槽に入って異常状態になった時は、台所リモコンの表示部を点滅させ、介護者に異常状態を知らしめて、浴室での安全性を一層高めることができる。
【００３０】
また、人が浴槽に入って異常状態になった時、浴槽の下部の排水栓を開けて所定水位さげることにより、気を失った人が沈んで窒息死することを防止することができる。
【００３１】
さらに、人が浴槽に入って第１の水位値を検出した後第２の水位値を検出する時、第１の水位値＞第２の水位値としたので、胸まで漬かっていた人が気を失い頭まで沈んだことを、より精度高く検出できる。
【図面の簡単な説明】
【図１】本発明の実施例１の風呂安全装置において入浴者が浴槽で異常状態になった時、台所リモコンにて異常を表示または報知する状態を示すフローチャート
【図２】本発明の実施例２の風呂安全装置において、台所リモコンの表示部のバックライトを異常色にして報知する場合のフローチャート
【図３】本発明の実施例３の風呂安全装置において台所リモコンの表示部を点滅させて報知する場合のフローチャート
【図４】本発明の実施例４の風呂安全装置において、浴槽水位を所定水位さげて安全性を確保する場合のフローチャート
【図５】本発明の各実施例において異常の判定を説明するために示した水位センサの出力特性図
【図６】従来の風呂安全装置を説明したフローチャート
【符号の説明】
１　台所リモコン
２　浴室リモコン
７　台所リモコンの表示部
９　人が浴槽に入ったことを検出する水位上昇Ａ
１０　続いて水位上昇Ｂを検出
１１　排水栓
１２　所定水位
１３　浴槽
【図１】
2004003772.tif 000003
【図２】
2004003772.tif 000004
【図３】
2004003772.tif 000005
【図４】
2004003772.tif 000006
【図５】
2004003772.tif 000007
【図６】
2004003772.tif 000008